(57)【特許請求の範囲】
【請求項１】
合成樹脂シートを２枚重ね合わせて気密な袋状の空気層膜を形成し、同空気層膜へファンで空気を吹き入れて膨張させた際の空気層膜の膨らみ厚を検出する電気スイッチ機構であって、
空気層膜へ当たる接触子を有する厚み検出腕部と、
前記厚み検出腕部を中立位置を中心として傾動及び復元が可能に支持する軸受け部と、
前記厚み検出腕部が中立位置から一方向へ傾くとオン又はオフ動作するスイッチ部と、
前記軸受け部及びスイッチ部を支持し、且つ前記厚み検出腕部の接触子を空気層膜に対し一定の位置関係に配置でき、且つ調整可能に支持する取付手段とから成り、
前記取付手段は、エアハウスの骨材へ取付位置を調整可能に取り付ける取付金具へスイッチ機構から延びる腕部が接合され、前記スイッチ機構の軸受け部に厚み検出腕部を備えた構成であることを特徴とする、電気スイッチ機構。
【請求項２】
厚み検出腕部は、剛な棒材、又はその基部が可撓性に富む弾性体で構成され、同弾性体より先端側が剛な棒材で構成されていることを特徴とする、請求項１に記載した電気スイッチ機構。
【請求項３】
エアハウスの骨材への取付位置を調整可能に取り付ける取付金具と、スイッチ機構から延びる腕部の先端とは、ボルトとナットで接合して取付位置を調整可能に構成されていることを特徴とする、請求項１に記載した電気スイッチ機構。
【発明の詳細な説明】
【技術分野】
【０００１】
この発明は、合成樹脂シートを２枚重ね合わせて袋状の空気層膜を形成し、同空気層膜へファンにより空気を吹き入れて膨張させた空気層膜の膨らみ厚が設定値になるように自動調整する検出手段としての電気スイッチ機構と、この電気スイッチ機構を使用して稼働させるエアハウスに関する。
【背景技術】
【０００２】
従来から野菜・花卉の栽培に利用される通例のビニルハウスは、一枚のビニルシートで外気を遮断するだけでは断熱性が甚だ不十分で高価な暖房設備を整える必要があり、特に冬季には暖房燃料費が相当に嵩んで農業経営を圧迫させるという問題があった。このような条件下で、できるだけ現行設備を変更することなく対処する方法として、下記の特許文献１〜３には透光性の合成樹脂シートを２枚重ね合わせ、その二重シート内に送風機により空気を強制的に吹き入れて膨張させ空気層膜を形成し、同空気層膜により断熱効果を向上させるエアハウスが開示されており、実用にも供されている。
【０００３】
しかしながら、上記特許文献１〜３には、前記空気層膜の膨らみ厚を適切に調整する構成については殆ど記載されていない。一般に空気層膜を有するエアハウスは、フィルム間に送風機によって空気を送風したままにし、送風された空気はフィルム同士の隙間や排気孔（送風機のファン）から自然に流出するのに任せている。したがって、送風機を稼働させ続けて電気代が嵩むし、空気層膜を限界まで膨らませ続けてシート材が伸び、強度を損なって寿命を低下させる問題が生じている。
また、空気層膜は膨らみ厚が３０ｃｍ以上になると断熱効果が殆ど変わらないことから、必要充分な膨らみ厚である１５ｃｍ〜２０ｃｍを効果的なオンオフスイッチ機構により保持できれば効率的な構成となる。しかし、上記の特許文献１〜３は、そのようなスイッチ機構を発揮できる構成ではない。
【０００４】
ところで、特許文献４には、空気層膜内への空気量を制御して膨らみ厚を適切な設定値に調整する構成のエアハウスが開示されている。即ち、空気漏れのない密閉型の二重シートに磁気型の近接センサーを設け、同近接センサーと送風機が膨らみ調整盤を通して直結されており、膜内送風量を限定して施設の形状に合わせた適切な膨らみ厚に調整できる点が開示されている。
【先行技術文献】
【特許文献】
【０００５】
【特許文献１】特開平７−２５５２９１号公報
【特許文献２】特開平１０−２８４８４号公報
【特許文献３】特開２００４−３３０６５号公報
【特許文献４】特開２０１０−３５５３７号公報
【発明の概要】
【発明が解決しようとする課題】
【０００６】
上記した特許文献４は、近接センサーにより送風量を制御して膨らみ厚を適切な設定値に調整している点は認められる。しかし、この構造は複雑な構成で空気漏れのない密閉型の二重シートにのみ実施できるものであり、空気層膜内の空気を自然に排出する一般的なエアハウスにおいては適用できないものである。更に、一度設定した膨らみ厚で形成した空気層膜の膨らみ厚を常に検出して、その膨らみ厚が常に一定量となるようにファン型送風機の発停を制御するオン、オフスイッチ機構ではない。
したがって、シートの強度を保ち且つ必要充分な断熱性を発揮する空気層膜の適切な膨らみ厚を効果的に保持する電気スイッチ機構、特に、空気層膜内の空気が自然に抜ける安価なエアハウスにも適用できる電気スイッチ機構と、この同電気スイッチ機構を使用して稼働させるエアハウスが所望されているが、未だにそのような技術は見聞きしないし、開示もない。
【０００７】
本発明の目的は、上記の課題点を解決することであり、空気層膜の膨らみ厚が設定値に到達したことを検出して電気信号に変換でき、前記電気信号を利用して空気層膜へ空気を吹き込むファンの駆動制御を行う電気スイッチ機構と、この電気スイッチ機構を使用して空気層膜の膨らみ具合、ひいては空気層膜で構成したエアハウスの膨らみ具合を簡易に自動制御する構成のエアハウスを提供することにある。
本発明の更なる目的は、簡易な構造で一般的なエアハウスなどに容易に適用でき、経済的で使い勝手がすこぶる良く、汎用性に優れた電気スイッチ機構、及びこの電気スイッチ機構を用いたエアハウスを提供することにある。
【課題を解決するための手段】
【０００８】
前記課題を解決手段するための手段として、請求項１に記載した発明に係る電気スイッチ機構１５は、合成樹脂シートを２枚重ね合わせて気密な袋状の空気層膜１２を形成し、同空気層膜１２へファンで空気を吹き入れて膨張させた際の空気層膜１２の膨らみ厚を検出する電気スイッチ機構１５であって、
空気層膜１２へ当たる接触子１６を有する厚み検出腕部１７と、
前記厚み検出腕部１７を中立位置を中心として傾動及び復元が可能に支持する軸受け部１８と、
前記厚み検出腕部１７が中立位置から一方向へ傾くとオン又はオフ動作するスイッチ部１９と、
前記軸受け部１８及びスイッチ部１９を支持し、且つ前記厚み検出腕部１７の接触子１６を空気層膜１２に対し一定の位置関係に配置でき、且つ調整可能に支持する取付手段とから成り、
前記取付手段は、エアハウスの骨材４へ取付位置を調整可能に取り付ける取付金具へスイッチ機構１５から延びる腕部２１が接合され、前記スイッチ機構１５の軸受け部１８に厚み検出腕部１７を備えた構成であることを特徴とする。
【０００９】
請求項２記載の発明は、請求項１に記載した電気スイッチ機構において、
厚み検出腕部１７は、剛な棒材、又はその基部が可撓性に富む弾性体で構成され、同弾性体より先端側が剛な棒材で構成されていることを特徴とする。
【００１０】
請求項３記載の発明は、請求項１に記載した電気スイッチ機構において、
エアハウス１の骨材４への取付位置を調整可能に取り付ける取付金具２２と、スイッチ機構１５から延びる腕部２１の先端とは、ボルト２３とナット２４で接合して取付手段の取付位置を調整可能に構成されていることを特徴とする。
【発明の効果】
【００１１】
請求項１〜３に記載した電気スイッチ機構及び電気スイッチ機構を使用したエアハウスは、以下の効果を奏する。
本発明の電気スイッチ機構は、空気層膜へ当たる接触子を有する厚み検出腕部と、前記厚み検出腕部を中立位置を中心として傾動及び復元が可能に支持する軸受け部と、前記厚み検出腕部が中立位置から一方向へ傾くとオン又はオフ動作するスイッチ部と、取付手段とから成り、前記取付手段は、エアハウスの骨材へ取付位置を調整可能に取り付ける取付金具２２へスイッチ機構から延びる腕部が接合され、前記スイッチ機構の軸受け部に厚み検出腕部を備えた構成としたので、これをエアハウスの骨材へ取付手段で容易に且つ自在に取り付けて使用できると共に、その際に、厚み検出腕部の接触子を、空気層膜に対してその膨らみ厚の設定値を検出する配置に調整して取り付けると、空気層膜の膨らみ厚が設定値に到達したことを検出して電気信号に変換でき、前記電気信号を利用して空気層膜へ空気を吹き込むファンの駆動制御を効果的に行なって、空気層膜の膨らみ厚を常に設定値に保持できる。また、この電気スイッチ機構を空気層膜で構成したエアハウスに使用して、その膨らみ厚を適切に自動制御すると、必要充分な断熱効果を常に安定して得ることができ、暖房費を最小限に抑えられる。
また、スイッチ機構は取付手段により取り付けられる構成であるため、エアハウスの骨材を使用して容易に適用可能であり、上記厚み検出腕部の位置を現場合わせで自在に設定でき非常に使い勝手が良い。のみならず、季節や作物によって変わる適切な膨らみ厚にも容易に対応できるため汎用性に優れたエアハウスを実現できる。
【００１２】
更に、厚み検出腕部は、その基部が可撓性に富む弾性体で構成されて、厚み検出腕部の一方向への動きに対するスイッチ部の切り替え接点に余裕（幅）を持たせている。したがって、空気層膜を構成するシート材が強風などによりバタつく程度でファンを誤作動させてしまうことを防止できるほか、ファンの稼働率を従来に比して１／８程度に抑えられて経済的である。
【図面の簡単な説明】
【００１３】
【図１】本発明が実施されるエアハウスの全体斜視図である。
【図２】二重シートの間に空気を吹き入れる小型ファンの取付構造を示す斜視図である。
【図３】電気スイッチ機構と小型ファンをエアハウスに取り付けた状態を示す図である。
【図４】電気スイッチ機構の全体構成を示す図である。
【図５】スイッチ部の内部構成を示す拡大図である。
【図６】電気スイッチ機構の動作原理を示す参考図である。
【図７】電気スイッチ機構の異なる実施例を示す参考図である。
【図８】電気スイッチ機構の異なる実施例を示す参考図である。
【発明を実施するための形態】
【００１４】
本発明は、合成樹脂シートを２枚重ね合わせて気密な袋状の空気層膜１２を形成し、同空気層膜１２へ小型ファン１１で空気を吹き入れて膨張させた空気層膜１２の膨らみ厚を検出する電気スイッチ機構１５である。
この電気スイッチ機構１５は、空気層膜１２へ当たる接触子１６を有する厚み検出腕部１７と、前記厚み検出腕部１７の中立位置Ｌを中心として傾動可能に支持する軸受け部１８と、前記厚み検出腕部１７が中立位置Ｌから一方向へ傾くとオン又はオフ動作するスイッチ部１９と、前記スイッチ部１９を支持し前記厚み検出腕部１７を空気層膜１２に対し一定の関係配置に調整可能に支持する取付手段とから成る。
【実施例１】
【００１５】
以下に、本発明を図示した実施例に基づいて説明する。
本発明の電気スイッチ機構１５は、合成樹脂シートを２枚重ね合わせて気密な袋状の空気層膜１２を形成して成る所謂エアハウス１に好適に実施されるものである。
図１は、請求項１に記載した発明に係る電気スイッチ機構１５（以下、単にスイッチ機構と云う。）が実施されるエアハウスの実施形態を概略的に示している。
このエアハウス１に実施する、支柱２、梁３、骨材４、棟木５等所謂ハウスフレームは格別に新規ではなく、従来一般のビニルハウスに実施するハウスフレーム、又は上記した工法に開示したハウス構造（エアハウス）に実施するハウスフレームと略同様である。また、屋根面６は、内外シート７、８から成る二重シートの間へ空気を強制的に吹き入れて空気層膜１２を形成する構成とされている。
【００１６】
即ち、前記エアハウス１は、その屋根面６の全面にわたり、透光性の合成樹シート７、８を内外２枚重ね合わせ、そのシート７、８の周縁をシート止め材９、１０などで機密にシールして成る二重シートの空気層膜１２内へ空気を強制的に吹き込み膨張させた空気層膜構造とされ、図２に示したように、前記二重シートの内側シート８へハウス１の内側から小型軽量のファン１１が直接取り付けられ、同小型ファン１１の空気吹き出し口が前記空気層膜１２に向かって直接開口されている。
【００１７】
具体的には、小型ファン１１を内側シート８の内側面にあてがい、同内側シート８の外側面にあてがわれた押さえ縁１４とで同シート８をサンドイッチ状に挟み、ボルト接合して取り付けられている。因みに、内側シート８の小型ファン１１を取り付ける箇所は空気の出入りが可能な大きさと形状に開口されている。
なお、前記合成樹脂シート７、８は、耐用性に優れているポリオレフィン系シートやフッ素系シートを使用することが好ましい。外側シート７の厚みは、約０．１〜０．１５ｍｍとされ、内側シート８の厚みは、０．１ｍｍ程度のフィルムが使用されている。また、内張カーテンの場合には、０．０５〜０．０７５ｍｍ程度のフィルムを使用している。
本発明を実施するエアハウス１は、前記空気層膜構造を屋根面６にのみ設けて実施しているが、この限りではなく、屋根面６及び側壁面１３並びに妻面２５の全てに設けて実施しても良いし、屋根面６及び側壁面１３並びに内張カーテンなど、必要に応じて任意に選択して実施しても良い。
【００１８】
次に、上記のように構成された空気層膜１２が形成されて成るエアハウス１の、同空気
層膜１２の膨らみ厚を検出する電気スイッチ機構１５を図３〜図６に基づいて説明する。  前記スイッチ機構１５は、前記空気層膜１２を構成する内側シート８と当たり、同シートの厚みの変化に追従する接触子１６を有する厚み検出腕部１７と、前記厚み検出腕部１７が中立位置Ｌを中心にして傾動及び復元可能に支持する軸受け部１８と、前記厚み検出腕部１７が中立位置Ｌから一方向へ傾くとオン又はオフ動作するスイッチ部１９と、前記軸受け部１８及びスイッチ部１９を含むケーシングを支持し、前記厚み検出腕部１７の接触子１６を空気層膜１２に対し一定の位置関係に配置し、且つ調整可能に支持する取付手段とから構成されている。
このスイッチ機構１５は、図３に示すように、ハウスフレームの屋根面６の骨材４へ取付固定されており、前記小型ファン１１と電線Ｃ等で直結状態とされ、そのスイッチ部１９が小型ファン１１の駆動回路のオン、オフスイッチとして構成されている。具体的な取付構造については後述する。
【００１９】
前記厚み検出腕部１７の先端部に設けられた接触子１６は、二重シートの内側シート８に接触するゴム製の球体とされている。勿論この限りではなく平板形状にして実施しても良い。この厚み検出腕部１７は、軸受け部１８により中立位置Ｌを保持可能に支持されている。したがって、上述したように中立位置Ｌがスイッチの接点（オンオフ切り替え位置）となり、中立位置Ｌを上下方向に少しでも動くとオンオフ動作が行われる構成である。
しかし、上記スイッチ機構１５を、本実施例のようにエアハウスに実施すると二重シートが風によりなびいてばたつきが生じる。すると、シート７、８が激しく動き前記中立位置Ｌ（接点）の上下を行ったり来たりして、その都度スイッチ部１９によるオンオフ動作が生じ無駄に小型ファン１１を発停させてしまう。
こうした点を解決するべく、本実施例では、厚み検出腕部１７の基部は、可撓性に富む弾性体で構成されており、具体的にはコイルスプリング材１７ａである。このコイルスプリング材１７ａより先端部は、剛な棒材１７ｂで構成されている(図５参照）。
このコイルスプリング材１７ａには、スイッチ部１９に内蔵された復元板バネ１９ａより小さい反力のものを使用して、厚み検出腕部１７の一方向への動きに対するスイッチ部１９の接点の切り替え幅に余裕を持たせる構成とされている。つまり、厚み検出腕部１７の一方向へ動き（倒れ）が復元板バネ１９ａの反力以内であれば、スイッチ部１９が作動することはない。具体的に、スイッチ部１９の接点の切り替え幅は、中立位置Ｌ〜Ｌ１までの範囲に広げることができる。この厚み検出腕部１７の中立位置Ｌ〜Ｌ１は、同腕部１７の基端を支持する軸受け部１８を支点として約２０°の範囲であり、空気層膜１２の膨らみ厚にすると約３〜５ｃｍである。すると、小型ファンの稼働率を従来に比して１／８にでき、且つ、空気層膜１２の最適膨らみ厚である１５ｃｍ〜２０ｃｍを確実に保持して経済的且つ効率的である。前記シート材７、８が強風などによりバタついて動くのは約１〜２ｃｍ程度であるので、上記のように接点の切り替え幅を広くしておけば小型ファン１１を誤作動させてしまうことを防止できる。
上記の点から本実施例の中立位置Ｌは、空気層膜１２の膨らみ厚が１５ｃｍの位置であり、Ｌ１は膨らみ厚２０ｃｍの位置となる。したがって、スイッチ機構１５は、厚み検出腕部１７が空気層膜１２の膨らみ厚１５ｃｍとなる位置（中立位置Ｌ）を基準に設けられる。
【００２０】
前記した厚み検出腕部１７の構成はこの限りではなく、図７に示したスイッチ機構１５’の通り、厚み検出腕部１７’を剛な棒材のみで実施する場合もある。つまり、外側シートを温室の外郭とし、温室内に内側カーテンを設ける場合には、内側カーテンは外側シートと分離された構成であるため風などが生じても内側カーテンがばたつく虞はない。こうした場合においては、中立位置Ｌで直ちにオンオフ動作を行わせる棒材で成る厚み検出腕部１７’を有するスイッチ機構１５’が有効である。
【００２１】
前記スイッチ部１９内には、可動可能に軸受け部１８に支持されている厚み検出腕部１７の基端部の侵入を許容し、その動きをスイッチ回路へ伝達させる構成とされている。
即ち、図５に示すように、厚み検出腕部１７の基端部には突起部１７ｃが設けられており、この突起部１７ｃと接触する復元板バネ１９ａが、台座１９ｂに支持され、高さの異なるもう一方の台座１９ｃに向かって傾斜を付けて固定されている。
この復元板バネ１９ａの下端面には、同復元板バネ１９ａに反力を発揮させるバネ部材１９ｄが設けられ、先端部には、前記台座１９ｃに支持された接触端子１９ｅと接触し、厚み検出腕部１７の動きがバネ部材１９ｄの反力超えると両者を切り離すことでスイッチ回路をオンオフ作動させる構成とされている。
また、上記したスイッチ部材１９ａ〜１９ｅを格納するスイッチ部１９のケーシングには、図４に示すように、スイッチ部１９の角度と位置を微調整可能な調整用長孔２０が設けられおり、前記スイッチ部材１９ａ〜１９ｅと左右方向へ首振り可能に蝶ナット１９ｆで固定する構成とされている。
【００２２】
斯くすると、図４、図６に示すように、厚み検出腕部１７が第一の中立位置Ｌに来ると、スイッチ部１９の復元板バネ１９ａは接触端子１９ｅと接触するオン状態（電通状態）となり小型ファン１１を稼働させる。同小型ファン１１の稼働により空気層膜１２が膨らみ、その膨らみに伴って厚み検出腕部１７が下方へ湾曲して追随する。第二の中立位置Ｌ１まではスイッチ部１９の復元板バネ１９ａの反力内であるため小型ファン１１は稼働を続け空気の吹き入れが行われる。
しかし、厚み検出腕部１７が中立位置Ｌ１になると、厚み検出腕部１７のコイルスプリング材１７ａの反力が復元板バネ１９ａの反力を上回り、同厚み検出腕部１７の突起部１７ｃが復元板バネ１９ａを押しつけ、同復元板バネ１９ａと上記接触端子１９ｅとを切り離してオフ状態（非電通状態）とし小型ファン１１を停止させる。
その後、空気層膜１２内の空気が小型ファン１１やシート止め材などの隙間から抜けてしぼんで行くに伴い、厚み検出腕部１７もコイルスプリング材１７ａの復元力により上方へ追随する。厚み検出腕部１７が前記中立位置Ｌ地点まで来ると、上記したようにスイッチ部１９の復元板バネ１９ａは接触端子１９ｅと接触するオン状態（電通状態）となり小型ファン１１を稼働させる。この動作を自動的に繰り返すことにより、空気層膜１２の膨らみ厚を常に検出し、最適な膨らみ厚に調整することができる。
因みに、図示することは省略したが、上記スイッチ部１９には手動に切り替える切り替えスイッチが設けられている。これは台風や積雪時に空気層膜１２を限界まで膨らませることで二次的被害を予防するためである。
【００２３】
上記構成とされたスイッチ機構１５の取付構造としては、図３に示すように、取付位置を調整可能なユニバーサルジョイントなどと称される取付金具２２によりエアハウス１の骨材４へ連結されている。つまり、図４に示すように、スイッチ部１９の一端から骨材４へ向かって延びる腕部２１の上下面を挟み込んでボルト接合する接合部２２ａと、骨材４を掴み持つ円弧形状の掴み部２２ｂとで成る取付金具２２により骨材４へ連結される。因みに、前記掴み部２２ｂは半割形状であると作業性がよい。
取付方法としては、予め取付金具２２を骨材４の適切な箇所に用意しておき、スイッチ機構１５のスイッチ部１９から延びる腕部２１の先端部の上下面を、取付金具２２の接合部２２ａ、２２ａで挟み、同接合部２２ａに設けたボルト孔と、やはり腕部２１の先端に設けたボルト孔とを一致させ、ボルト２３を各ボルト孔へ通しナット２４で締め付けて、同スイッチ機構１５をエアハウス１へ取り付ける。締め付ける際には、スイッチ機構１５の厚み検出腕部１７の位置と角度を空気層膜１２に対して適切な位置つまり上記した中立位置Ｌとなるように調整する。
【００２４】
また、厚み検出腕部１７を空気層膜１２との適切な中立位置Ｌへ位置決めする手段として、上記したスイッチ部１９のケーシングに設けられた左右方向に開口した調整用長孔２０を利用して微調整をすることができる。つまり、取付金具２２によりある程度の中立位置を決めて骨材４へ固定し、前記調整用長孔２０により微調整をすることで誰でも容易に適切な位置に取り付けることができる。
また、最適膨らみ厚を変更する必要がある場合には、前記取付金具２２のボルト２３、ナット２４を一旦緩め、スイッチ機構１５を適切な位置と角度に修正した上で、前記ボルト２３、ナット２４を締め付けるだけで、容易に変更可能である。勿論、数センチ程度の調整あれば上記調整用長孔２０により調整すればよい。したがって、季節や作物によって変わる適切な膨らみ厚に取付位置を自在に調整できて使い勝手が良く、利便性の高いエアハウスを実現できる。
【実施例２】
【００２５】
上記実施例１で説明した電気スイッチ機構１５は、この限りではない。要するに、オンオフスイッチ機構であり、厚み検出腕部のコイルスプリング材の反力が、スイッチ部の復元板バネより小さくし、厚み検出腕部の移動によるスイッチ部の接点の切り替え幅を広くするリミットスイッチであれば実施可能である。
例えば、図７に示したようにヒンジカバー型のリミットスイッチ２６であって、接触子２７ａを有する厚み検出腕部２７の中央位置に湾曲可能でスイッチ部２９内の復元板バネ（図示省略）より反力の小さなコイルスプリング材２８を装備させて実施することもできる。
【００２６】
以上に本発明を図示した実施例に基づいて説明したが、本発明は、上記実施例の構成に限定されない。その目的と要旨を逸脱しない範囲において、当業者が必要に応じて行う設計変更、応用のバリエーションの範囲を含むことを念のため言及する。例えば、温室の外郭をなす外側シートが取り付けられ、温室内に内側カーテンを取り付けて、上記外側シートと内側カーテンの間に空気を吹き入れて成るエアハウスにおいても、このスイッチ機構は実施可能である。その際、屋根面６のみならず、側壁面１３、妻面２５にも上記構成を実施できることを付言する。
【符号の説明】
【００２７】
１        エアハウス
２        支柱
３        梁
４        骨材
５        棟木
６        屋根面
７        シート（外側）
８        シート（内側）
１１      小型ファン
１２      空気層膜
１３      側壁面
１４      押さえ縁
１５      スイッチ機構
１６      接触子
１７      厚み検出腕部
１８      軸受け部
１９      スイッチ部
１９ａ    復元板バネ
１９ｂ、ｃ台座
１９ｄ    バネ部材
１９ｅ    接触端子
２０      調整用長孔
２１      腕部
２２      取付金具
２２ａ    接合部
２２ｂ    掴み部
２３      ボルト
２４      ナット
２５      妻面
【図１】
0005542528.tif 000002
【図２】
0005542528.tif 000003
【図３】
0005542528.tif 000004
【図４】
0005542528.tif 000005
【図５】
0005542528.tif 000006
【図６】
0005542528.tif 000007
【図７】
0005542528.tif 000008
【図８】
0005542528.tif 000009